(57)【要約】【課題】  カールを迅速かつ的確に形成することを可能とする。【解決手段】  フィルムヒータ２５を有した頭髪カール用のロッド５と、フィルムヒータ２５の温度を制御する制御ボックス３とよりなり、頭髪を巻き付けたロッド５の外周側を覆い断熱するための断熱具７を着脱可能に設け、断熱具７は、内部に断熱用の断熱空間５１，５３を有し、断熱空間５１，５３に、シリコンを封入したことを特徴とする。ロッド５に巻き付けられた頭髪が温度調整されたフィルムヒータ２５の発熱により内側から熱処理されると共に外側を断熱具７で覆うことができるから、ロッド５の温度を十分に高めながら被整髪者の頭皮への熱の影響を抑制することができる。従って、頭髪のカールを迅速且つ的確に形成することができる。【選択図】  図３
2005304902.tif 000002
【特許請求の範囲】
【請求項１】
温度調整体を有した頭髪カール用のロッドと、
前記温度調整体の温度を制御する制御手段とよりなり、
頭髪を巻き付けた前記ロッドの外周側を覆い断熱するための断熱具を着脱可能に備えたことを特徴とする整髪処理装置。
【請求項２】
請求項１記載の整髪処理装置であって、
前記断熱具は、内部に断熱用の断熱空間を有することを特徴とする整髪処理装置。
【請求項３】
請求項２記載の整髪処理装置であって、
前記断熱空間に、断熱材を封入したことを特徴とする整髪処理装置。
【発明の詳細な説明】
【技術分野】
【０００１】
本発明は、毛髪をカールする際等に用いられる整髪処理装置に関する。
【背景技術】
【０００２】
従来の整髪処理装置例えば図９，図１０に示すヘアウェーブ装置がある。このヘアウェーブ装置は、分電箱１０１からコード１０３を延線し、このコード１０３の他端にヘアカーラー１０５を着脱自在に接続したものである。ヘアカーラー１０５は、内部にセラミックヒータ１０７を備え、セラミックヒータ１０７の電気的な発熱によって、頭髪のカーリングを促進することができる。
【０００３】
しかしながら、セラミックヒータ１０７により加熱したヘアカーラー１０５の熱が、被整髪者の頭皮に影響を及ぼすため、ヘアカーラー１０５の熱を十分に高めることができず、カールを迅速且つ的確に形成することに限界があった。
【０００４】
【特許文献１】特開平９−２１５５１７
【発明の開示】
【発明が解決しようとする課題】
【０００５】
解決しようとする問題点は、被整髪者の頭皮に影響を及ぼすためカールするための熱を十分に高めることができず、カールを迅速且つ的確に形成することに限界がある点である。
【課題を解決するための手段】
【０００６】
本発明の整髪処理装置は、頭髪を巻き付けたロッドの外周側を覆い断熱するための断熱具を着脱可能に設けたことを最も主要な特徴とする。
【発明の効果】
【０００７】
本発明の整髪処理装置は、頭髪を巻き付けたロッドの外周側を覆い断熱するための断熱具を着脱可能に備えたため、ロッドに巻き付けられた頭髪が温度調整された温度調整体の発熱により内側から熱処理されると共に外側を断熱具で覆うことができるから、ロッドの温度を十分に高めながら被整髪者の頭皮への熱の影響を抑制することができる。従って、頭髪のカールを迅速且つ的確に形成することができる。
【０００８】
前記断熱具が、内部に断熱用の断熱空間を有する場合は、断熱具により被整髪者の頭皮への影響をより確実に抑制することができる。
【０００９】
前記断熱空間に、断熱材を封入した場合は、断熱具により被整髪者の頭皮への影響をより確実に抑制することができる。
【発明を実施するための最良の形態】
【００１０】
本発明の整髪処理装置は、カールをより迅速且つ的確に形成するため、断熱具を設けるることによって実現した。
【実施例１】
【００１１】
図１は、本発明の実施例１に係る整髪処理装置を示す概念図である。図１のように、整髪処理装置１は、制御手段としての制御ボックス３と、複数のロッド５及び断熱具７とを備えている。
【００１２】
前記制御ボックス３は、複数の制御ボタン９と、液晶表示部１１、延長電線１３などを備えている。
【００１３】
前記制御ボタン９は、連続設定、単発設定の選択、温度設定等を行うものである。連続設定は、例えばロッド５の後述するフィルムヒータ２５の温度制御を一連の複数種の加熱処理のために行う。単発設定は、例えば単一の温度にフィルムヒータ２５の温度制御を行う。
【００１４】
前記液晶表示部１１には、設定温度の表示等が行われる。
【００１５】
前記延長電線１３には前記頭髪カール用のロッド５が着脱自在且つ電気的に接続されている。
【００１６】
前記ロッド５及び断熱具７は、図２，図３のようになっている。図２は、ロッド５及び断熱具７の組み合わせを示す平面図、図３は同側面図である。図２，図３では、頭髪が省略されているが、前記ロッド５に頭髪を巻き付け、該ロッド５の外周側に断熱具７を着脱可能に装着している。
【００１７】
前記ロッド５の具体的構成は図４，図５を参照して説明する。図４は、ロッド５の分解断面図、図５は同側面図である。
【００１８】
図２〜図５のように、ロッド５はロッド本体１７と、端子体１９とからなっている。ロッド本体１７は、非導電性の樹脂で中空状に形成され、一端を閉塞する端壁２１を備え、開口された他端に嵌合部２３を備えている。
【００１９】
前記ロッド本体１７の内周には、温度調整体としてフィルムヒータ２５が着脱可能に取り付けられている。フィルムヒータ２５は、フィルムの弾性力によりロッド本体１７の内周面に押し付けられるように保持されている。但し、フィルムヒータ２５をロッド本体１７の内周に固着することもできる。フィルムヒータ２５は、非導電性の樹脂フィルム内にニクロム線等を配線したものである。フィルムヒータ２５は、ロッド本体１７の内周面全体にほぼ渡って設けられているが、部分的に設けることも可能である。
【００２０】
前記フィルムヒータ２５が配置されるロッド本体１７の内空間は、閉じ空間として形成され、フィルムヒータ２５の周囲には、例えば熱伝導性の良いオイルなどが封入又は塗布されている。従って、フィルムヒータ２５とロッド本体１７との間に形成される隙間がオイルにより満たされ、フィルムヒータ２５からロッド本体７への熱伝導を円滑に行わせることができる。フィルムヒータ２５には、それぞれプラスマイナス用のコネクタ２７，２８が接続されている。
【００２１】
前記端子体１９は、非導電性の樹脂で形成された端子体本体２９と、プラスマイナスの２本の端子金具３１，３３とからなっている。端子体本体２９には、嵌合部３５が設けられ、前記嵌合穴部２３に着脱可能に嵌合固定される。
【００２２】
前記端子金具３１，３３の内端部に前記フィルムヒータ２５のコネクタ２７，２８が接続され、端子金具３１，３３の外端部に前記延長電線１３のプラスマイナスのコネクタ３７，３９がそれぞれ着脱自在に差し込み接続される。
【００２３】
前記断熱具７は、図６〜図８を参照して説明する。図６は髪止め具の平面図、図７は髪止め具を閉じた状態の側面図、図８は髪止め具を開いた状態の側面図である。
【００２４】
図２，図３，図６〜図８のように、前記断熱具７は、一対のフラップ体４１，４３で構成されている。フラップ体４１，４３は、湾曲部４５，４７とつまみ部４９，５０とを非導電性の樹脂で一体に形成したものである。湾曲部４５，４７の曲率は、前記ロッド５とほぼ同様に形成され、ロッド５よりも直径を大きくして、ロッド５との間に頭髪を挟み込むための若干の空間を形成することができるようになっている。
【００２５】
前記湾曲部４５，４７の内部には、湾曲に沿って断熱用の断熱空間５１，５３が設けられている。断熱空間５１，５３は、湾曲部４５，４７のほぼ全体に渡って形成され、本実施例において閉じ空間となっている。断熱空間５１，５３は、フラップ体４１，４３と同様な幅、同様な長さに形成され、フラップ体４１，４３全体の断熱ができるように形成されている。断熱空間５１，５３には、断熱材として例えばシリコン、グラスウールなどが封入されている。
【００２６】
前記つまみ部４９，５０は、相互に角度をもって配置され、対向側に結合片７５，７７が一体に設けられている。結合片７５，７７には、結合ピン７９が貫通して取り付けられ、該結合ピン７９にトルクスプリング８１が支持されている。トルクスプリング８１のアーム８３，８５は、それぞれつまみ部４９，５０の内面に弾接している。従って、つまみ部４９，５０をつまんで力を入れると、つまみ部４９，５０がトルクスプリング８１の付勢力に抗して接近し、フラップ体４１，４３が結合ピン７９を中心にして図９のように開く。つまみ部４９，５０を離せば、トルクスプリング８１の付勢力によってフラップ体４１，４３は図８のように閉じる。
【００２７】
次に頭髪処理装置１の作用を、本発明実施例の頭髪処理方法と共に説明する。頭髪をカールする際には、まず頭髪をカールする工程でロッド５に頭髪を巻き付け、頭髪を巻き付けたロッド５の外周側に断熱具７を装着し、ロッド５を全体的に覆う。ロッド５に頭髪を巻き付ける際には、延長電線１３に対する接続を切り離しておく。
【００２８】
そして、複数のロッド５を頭髪に巻き付け、それぞれ頭髪を巻き付けたロッド５の外周側に断熱具７を装着する。断熱具７の装着に際しては、図８，図９で説明したように、つまみ部４９，５０をつまんで操作することによって、フラップ体４１，４３をトルクスプリング８１に抗して開き、トルクスプリング８１の付勢力によって閉じるようにする。
【００２９】
次いで、各ロッド５の端子金具３１，３３に延長電線１３のコネクタ３７，３９を差込み接続する。これによって、制御ボックス３と各ロッド５が電気的に接続される。
【００３０】
この状態で、制御ボックス３の制御ボタン９を操作して温度設定を行い、連続設定或いは単発設定により制御を開始する。この設定により、ロッド５のフィルムヒータ２５の温度が適宜制御される。例えば、フィルムヒータ２５の温度を、初期に常温から１３０℃程度まで上昇させ１０分程度維持し、頭髪に急激な熱ストレスを与える。その後フィルムヒータ２５の温度を１００℃前後まで下げる。このように短時間に高温度に制御すると、頭髪に熱による影響を少なくしながら確実にカールを施すことができる。
【００３１】
また、フィルムヒータ２５の温度を、常温から１５０℃の範囲でリアルタイムに制御することで健康毛やダメージ毛等、種々の整髪を行うことができる。
【００３２】
このような、温度制御に際し、断熱具７がロッド５の外側を覆うから、被整髪者の頭皮にロッド５の熱が影響するのを抑制し、ロッド５による頭髪の熱処理を的確に行い、カールを迅速且つ的確に形成することができる。
【００３３】
なお、ロッド５を洗浄するときは、フィルムヒータ２５を取り外すことのできる構造とし、簡単に丸洗いすることができる。
【００３４】
以上、ロッド５の温度を十分に高めながら被整髪者の頭皮への熱の影響を抑制することができる。従って、頭髪のカールを迅速且つ的確に形成することができる。
【００３５】
前記断熱具７は、内部に断熱用の断熱空間５１，５３を有し、該断熱空間５１，５３に断熱材として例えばシリコン、グラスウールなどが封入されているため、断熱具７により被整髪者の頭皮への影響をより確実に抑制することができる。
【００３６】
尚、上記実施例では、断熱空間５１，５３を閉じ空間として内部に断熱材を封入したが、断熱材を省き、断熱空間５１，５３内を空気のみ存在する構成にすることもできる。この場合でも、断熱空間５１，５３内の空気が断熱材として機能し、前記同様の効果を奏することができる。また、断熱空間５１，５３を、閉じ空間とせずに端部を断熱具７外に開放した構成にすることもできる。この場合は、断熱空間５１，５３内から開放された端部を経て熱が外部へ放出され、断熱具７のの温度上昇を抑制することができる。
【００３７】
前記断熱空間５１，５３を省略し、断熱具７を断熱性の高い材料で形成することにより、同様の効果を得ることができる。
【００３８】
前記温度調整体は、シリコンラバーヒータで構成し、或いはロッド５の非導電性の樹脂内にニクロム線を直接埋設して構成することもできる。
【図面の簡単な説明】
【００３９】
【図１】整髪調整装置の概略図である（実施例１）。
【図２】ロッド及び断熱具の組み合わせを示す平面図である（実施例１）。
【図３】ロッド及び断熱具の組み合わせを示す側面図である（実施例１）。
【図４】ロッドの分解断面図である（実施例１）。
【図５】ロッドの側面図である（実施例１）。
【図６】断熱具の平面図である（実施例１）。
【図７】断熱具を閉じた状態の側面図である（実施例１）。
【図８】断熱具を開いた状態の側面図である（実施例１）。
【図９】ヘアウエーブ装置の斜視図である（従来例）。
【図１０】ヘアカーラーの一部を断面にした正面図である（従来例）。
【符号の説明】
【００４０】
１  整髪調整装置
３  制御ボックス（制御手段）
５  ロッド
７  断熱具
２５  フィルムヒータ（温度調整体）
５１，５３  断熱空間
【図１】
2005304902.tif 000003
【図２】
2005304902.tif 000004
【図３】
2005304902.tif 000005
【図４】
2005304902.tif 000006
【図５】
2005304902.tif 000007
【図６】
2005304902.tif 000008
【図７】
2005304902.tif 000009
【図８】
2005304902.tif 000010
【図９】
2005304902.tif 000011
【図１０】
2005304902.tif 000012